(57)【要約】【課題】    本発明の第１の目的は、ホッパヘッドに保留されているコインを溢すことなく排出できるコインホッパを提供することである。  本発明の第２の目的は、ホッパヘッドの上開口を経ることなくコインを排出できるコインホッパを提供することである。【解決手段】  漏斗状のホッパヘッドにコインをバラ積みし、前記ホッパヘッドの底孔に配置した回転ディスクにより前記コインを一つずつ区分けして送り出すようにしたコインホッパにおいて、前記ホッパヘッドの前記回転ディスクに相対する傾斜底壁の一部に落下開口を設け、前記開口は前記ホッパヘッド底壁の傾斜に対し下流側に配置した軸に一端部を回動可能に蝶番結合され、他端部に前記ホッパヘッドへのロック手段を設けた開閉自在の可動底壁により閉口したことを特徴とするコインホッパである。【選択図】図１
2009003714.tif 000002
【特許請求の範囲】
【請求項１】
漏斗状のホッパヘッド(156)にコイン(C)をバラ積みし、前記ホッパヘッドの底孔(184)に配置した回転ディスク(158)により前記コインを一つずつ区分けして送り出すようにしたコインホッパにおいて、前記ホッパヘッドの傾斜底壁(174)の一部に落下開口(212)を設け、前記開口を開閉自在の可動底壁(214)により閉口したことを特徴とするコインホッパ。
【請求項２】
請求項１のコインホッパにおいて、前記落下開口は前記回転ディスクに相対する傾斜底壁(196)に配設されていることを特徴とする。
【請求項３】
請求項１のコインホッパにおいて、前記可動底壁は前記ホッパヘッドの傾斜に対し下流側に配置した軸(226)に一端部を回動可能に支持され、他端部に前記ホッパヘッドへのロック手段(228)を設けたことを特徴とする。
【発明の詳細な説明】
【技術分野】
【０００１】
本発明は、バラ積みしたコインを一つずつ区分けして払い出すコインホッパに関する。
詳しくは、コインをバラ積みするホッパヘッドの改良に関する。
さらに詳しくは、ホッパヘッド内のコインを除去しやすくしたホッパヘッドの構造に関する。
なお、本明細書で使用する「コイン」は、通貨であるコインの他、ゲーム機のメダルやトークン等の代用貨幣または類似のものを包含する。
【背景技術】
【０００２】
コインホッパは、例えばパチスロ機に内蔵され、コイン投入口から投入された真正コインをホッパヘッドにバラ積みし、ゲームにおいて入賞した場合、所定数のコインをコイン受取口に払い出す。
図8〜10を参照して詳細に説明する。
パチスロ機100の筐体102は、箱型の本体104と本体104の前面開口106を開閉する前面扉108とより構成されている。
本体104内には最上部に制御部110が配置され、中間にリール部112が配置され、最下部にコイン払出のためのコインホッパ114が配置されている。
コインホッパ114は、スライドレール(図示せず)によって、本体104内から引き出し可能になっている。
コインホッパ114の側方には、コインホッパ114からオーバーフローしたコイン用のコインボックス116が、本体104に対し引き出し可能に配置されている。
次にコインCの流れを説明する。
前面扉108の右端中段に位置するコイン投入口118に投入されたコインCは、前面扉裏面に固定されたセレクタ120によって真偽が判別され、正コインCはシュート122を介してコインホッパ114に案内される。
一方、偽コインCは返却シュート124を介して払出口126から前面扉108の最下部に位置するトレイ128に返却される。
セレクタ120においてキャンセルされたコインCは、返却シュート124に案内されてトレイ128に戻される。
ゲームに入賞した場合、コインホッパ114の投出口129から所定数のコインCが払い出され、払出シュート130に案内されて払出口126からトレイ128へ払い出される。（例えば、特許文献１参照。）
【０００３】
次に従来のコインホッパ114が図10を参照して説明される。
コインホッパ114は、漏斗状のホッパヘッド132、その下部円形底孔134に配置した等間隔に複数の通孔136を有する回転ディスク138、ホッパヘッド132及び回転ディスク138等を保持するホッパ本体140を含んでいる。
これにより、ホッパヘッド132内にバラ積みしたコインCを底孔134に配置した回転ディスク138によりコインCを一つずつ区分けして投出口129から送り出す（例えば、特許文献２参照。）。
【０００４】
【特許文献１】特開２００３―１０２９０３（図１〜３、４〜５頁）
【特許文献２】特開２００４―３３４４０８（図１〜５、３〜６頁）
【発明の開示】
【発明が解決しようとする課題】
【０００５】
例えば、コインホッパ114から入賞時にコインCを払い出している最中に、コインジャムにより回転ディスク138の回転が停止した場合、次のように回復する。
店員がパチスロ機100の前面扉108を開いた後。コインホッパ114を本体104から引き出し、ホッパヘッド132内から保留されているコインCをかきだして回転ディスク138を露出させる。
次にジャムしているコインCを取り除いた後、かき出したコインCを戻した後、コインホッパ114を本体104内に戻し、前面扉108を閉じた後、再起動可能にする。
コインの掻き出し作業は、ホッパヘッド132の上開口142から挿入したカップを堆積コイン中に挿入してコインを凹部に受け入れた後、当該カップを引き出して別容器に入れることにより排出している。
コインは価値媒体であることから、溢す事ができず、慎重に回収作業せねばならず、時間を要する。
一方、顧客がゲームを中断していることから、迅速回復が要求される。
そこで、これらの要望を実現したのが本発明である。
【０００６】
本発明の第１の目的は、ホッパヘッドに保留されているコインを溢すことなく排出できるコインホッパを提供することである。
本発明の第２の目的は、ホッパヘッドの上開口を経ることなくコインを排出できるコインホッパを提供することである。
【課題を解決するための手段】
【０００７】
この目的を達成するため、本発明は以下のように構成されている。
漏斗状のホッパヘッドにコインをバラ積みし、前記ホッパヘッドの底孔に配置した回転ディスクにより前記コインを一つずつ区分けして送り出すようにしたコインホッパにおいて、前記ホッパヘッドの傾斜底壁の一部に落下開口を設け、前記落下開口を開閉自在の可動底壁により閉口したことを特徴とするコインホッパである。
請求項２の発明は、請求項１のコインホッパにおいて、前記落下開口は前記回転ディスクに相対する傾斜底壁に配設されていることを特徴とする。
請求項３の発明は、請求項１のコインホッパにおいて、前記可動底壁は前記ホッパヘッドの傾斜底壁に対し下流側に配置した軸に一端部を回動可能に蝶番結合され、他端部に前記ホッパヘッドへのロック手段を設けたことを特徴とする。
【発明の効果】
【０００８】
この構成によれば、ホッパヘッドの傾斜底壁に落下開口が形成され、通常、可動底壁により閉じられる。
ホッパヘッド内にバラ積みされたコインは、漏斗状のホッパヘッドの傾斜底壁を滑り落ちて回転ディスクに達し、通孔に落下して一個ずつ区分けされた後、投出口から投出される。
落下開口が可動底壁によって閉口されている場合、可動底壁はホッパヘッドの傾斜底壁を構成しているので、コインは可動底壁上を滑り落ちる。
コインジャムが生じた場合、回転ディスクは自動停止し、コインホッパは異常信号を出力する。
係員が前面扉を開き、可動底壁を開き、落下開口を開口する。
これにより、可動底壁上のコインは落下開口から落下し、その他のコインは落下開口から下方へ落下させることができる。
落下開口の下方にコインボックスを配置しておくことにより、コインの周囲への散乱を防止できる。
また、ホッパヘッド内のコインを掻き出す際は、ホッパヘッドの周囲壁が衝立の機能を果すので、散乱させることがない。
コインをホッパヘッドから掻き出した後、可動底壁により落下開口を再び閉口する。
ホッパヘッド内のコインを掻き出した後、ホッパヘッドを取り外してコインジャムを解消した後、ホッパヘッドを元通りに戻した後、コインホッパを本体内に収納する。
これにより。ホッパヘッド内のコインを散乱させることなくコインジャムを解消できる。
【０００９】
本発明において、前記落下開口は前記回転ディスクに相対する傾斜底壁に配設されている。
この構成により、コインは自重により傾斜底壁上を滑落することから、傾斜する回転ディスクと傾斜底壁とがなす谷部に集積する。
前記傾斜底壁に落下開口が形成されているので、コイン集積部から傾斜底壁に沿って移動させることで落下開口からコインを落下させることができる。
よって、落下開口の近くのコイン集積部からコインを移動できるので、容易にコインをホッパヘッドから排出できる利点がある。
【００１０】
本発明において、可動底壁がホッパヘッドの傾斜に対し下流側に配置した軸に一端部を回動可能に取り付けられ、他端部に前記ホッパヘッドへのロック手段を設けて閉口状態を維持するようにした。
この構成によれば、落下開口を開いた場合、可動底壁は回転ディスク側の蝶番の軸を支点に下方へ回転し、開口する。
これにより、下方へ回動した可動底壁は落下するコインのガイド板として作用する。
よって、コインが可動底壁の方へ落下しようとしてもガイド板に案内されて不測の方向へ落下することはない。
【発明を実施するための最良の形態】
【００１１】
本発明は、漏斗状のホッパヘッドにコインをバラ積みし、前記ホッパヘッドの底孔に配置した回転ディスクにより前記コインを一つずつ区分けして送り出すようにしたコインホッパにおいて、前記ホッパヘッドの前記回転ディスクに相対する傾斜底壁の一部に落下開口を設け、前記開口は前記ホッパヘッドの傾斜底壁の傾斜に対し下流側に配置した軸に一端部を回動可能に支持され、他端部に前記ホッパヘッドへのロック手段を設けた開閉自在の可動底壁により閉口したことを特徴とするコインホッパである。
【実施例】
【００１２】
図１は、実施例のコインホッパの斜視図である。
図２は、実施例のコインホッパの平面図である。
図３は、図２におけるＸ−Ｘ線断面図である。
図４は、図２におけるＹ−Ｙ線断面図である。
図５は、実施例のコインホッパの可動底壁を開いた状態のＸ−Ｘ線断面図である。
図６は、実施例のコインホッパの可動底壁の裏面拡大図である。
図７は、実施例のコインホッパの可動底壁を開いた状態の下方からの斜視図である。
【００１３】
コインホッパ150は、少なくともフレーム152、ホッパベース154、ホッパヘッド156及び回転ディスク158を含んでいる。
【００１４】
まずフレーム152を説明する。
フレーム152はホッパベース154及びホッパヘッド156を支持する機能を有し、耐摩耗性樹脂又は板金により形成される。
フレーム152は、矩形平板状のベース162、及び、ベース162から垂立し、上端が傾斜している断面矩形であって筒形のサポート体164を含んでいる。
ベース162はパチスロ機の本体104の底板に固定されたガイドレール166(図5参照)にスライド可能に装着され、コインホッパ150を本体104内に装着及び引出可能にしている。
サポート体164の中空部には、制御基板や回転ディスク158の駆動のための電気モータが配置されている。
【００１５】
次にホッパベース154を説明する。
ホッパベース154は、ホッパヘッド156及び回転ディスク158を所定の位置に保持する機能、及び、回転ディスク158によって移動されるコインCを案内する機能を有する。
ホッパベース154は、矩形の板状を呈し、サポート体164の斜めの頭部に固定されている。
換言すれば、ホッパベース154は、所定の角度で傾斜している。
ホッパベース154の上面に円形穴が形成され、回転ディスク158が回転自在に配置される。
ホッパベース154の側面に形成された投出口160からコインCが一枚ずつ投出される。
【００１６】
次に、ホッパヘッド156を説明する。
ホッパヘッド156は、コインCをバラ済み状態に貯留する機能を有し、全体として漏斗形をしている。
ホッパヘッド156は、下端部168、上端部172、中間の傾斜底壁174、オーバーフローシュート176、オーバーフロー口178及び排出手段182を含んでいる。
【００１７】
まず、下端部168を説明する。
ホッパヘッド156の下端部168は、回転ディスク158の直径とほぼ一致する円筒状であってホッパベース154に対し直交方向に延びる底孔184が形成されている。
換言すれば、底孔184がホッパベース154に対し直角をなす斜め上方に向かって伸びており、ホッパヘッド156の上端部172は四角形状に形成され、上端はコイン投入開口186になっている。
ホッパヘッド156の内部がコイン保留部188である。
【００１８】
次に傾斜底壁174を説明する。
ホッパヘッド156の四角形の上端部172と下端部168は第1傾斜底壁192、第2傾斜底壁194及び第3傾斜底壁196によって接続されている。
換言すれば、底孔184の三方が第1傾斜底壁192、第2傾斜底壁194及び第3傾斜底壁196によって囲まれ、第2傾斜底壁194に対面する正面側壁198は、下端部168から上端部172迄ほぼ垂立している。
傾斜底壁174上に乗ったコインCは、重力によって自然滑落して底孔184に落ち込み、回転ディスク158上に落下する。
【００１９】
次にオーバーフローシュート176を説明する。
オーバーフローシュート176は、主にコイン保留部188においてオーバーフローしたコインCをコインボックス116に案内する機能を有する。
ホッパヘッド156の正面側壁198には矩形凹部202が形成されている。
矩形凹部202は、前面扉108が閉じられた場合、セレクタ120に連なるシュート122の先端が位置する。
換言すれば、シュート122の先端から落下したコインCが矩形凹部202を通ってオーバーフローシュート176上に落下する。
コイン保留部178の矩形凹部202の下方には、オーバーフローシュート176が配置されている。
オーバーフローシュート176は、凹部202に相対する分散部204と滑り部206とよりなる矩形板状をなし、回転ディスク158と同方向に下向きに傾斜して正面側壁198の内側面に固定されている。
分散部204の傾斜角度は滑り部206よりも小さく、この上に載ったコインCは、自重で滑り落ちることができない。
分散部204は、主にシュート122から落下したコインCが跳ね返って回転ディスク158上へ落下させる機能を有する。
分散部204は、水平でも良いが、下向き傾斜させることでオーバーフローしたコインCが滑り部206へ滑落し易い利点がある。
滑り部206は、コインCが自重で滑り落ちることができる角度で傾斜し、その下端はオーバーフロー口178に連なっている。
滑り部206のコイン保留部188側端部から第3傾斜底壁196に向かって垂立する滑り部側壁214が形成されている。
滑り部側壁214の上端は、滑り部206の上端部位置から水平に延びているので、滑り部206は滑り部側壁214と正面側壁198との間で樋状に囲まれる。
【００２０】
次にオーバーフロー口178を説明する。
オーバーフロー口178は、オーバーフローシュート176を滑り落ちてきたコインCが落下する開口である。
オーバーフロー口178は、正面側壁198、滑り部側壁214及び上部側壁208で囲われた第3傾斜底壁196を開口した孔である。
【００２１】
次に排出手段182を説明する。
排出手段182は、コイン保留部188のコインCを適宜下方へ落下させる機能を有する。
排出手段182は落下開口212及びそれを塞ぐ可動底壁214を含んでいる。
落下開口212は、回転ディスク158と相対する第3傾斜底壁196に形成した矩形の開口である。
傾斜する回転ディスク158に対し逆方向の傾斜を有する第3傾斜底壁196に配置することにより、それらの傾斜によって互いに反対向きの傾斜が交わる谷部にコインCが自重によって滑り落ちて集積し、落下開口212に掻き上げやすいからである。
落下開口212の形状は、矩形に限られず円形であってもよい。
落下開口212は、可及的に大きく形成することが好ましいので、上部側壁208の近傍に形成することがよい。
さらに、落下開口212はオーバーフロー口178に並置することが好ましい。下側に配置するコインボックス116を兼用できるからである。
【００２２】
次に可動底壁214を説明する。
可動底壁214は、落下開口212を塞ぎ、通常は第3傾斜底壁196の一部を構成し、落下開口212を開口することができる。
可動底壁214は、ホッパヘッド156の第3傾斜底壁196の下面から下方に垂下する三角形の第1ガイド板216と第2ガイド板218にそれぞれ形成された第1軸孔222と第2軸孔(図示せず)とに軸支された第1軸226が可動底壁214の左右下面から突出するストッパ217L、217Rに形成した軸孔224に回動自在に挿入されている。
これにより、可動底壁214は第3傾斜底壁196の落下開口212の回転ディスク158側端部を支点として回動することができる。
可動底壁214は、落下開口212を開口した場合、ストッパ217L、217Rの一部が第3傾斜壁196下面に係止されることにより、ほぼ垂下した位置までしか回動出来ない。
これにより、第1ガイド板216、第2ガイド板218及び可動底壁214並びに本体104の側壁によって落下開口212の下方において四方を囲うガイド壁219を構成でき、落下開口212から落下したコインCはガイド壁219に案内されてコインボックス116に落下する。
【００２３】
次に、可動底壁214のロック手段228を説明する。
ロック手段228は、可動底壁214の回転ディスク158から遠い側の端部をホッパヘッド156に固定する機能を有する。
本実施例において、ロック手段228は右ロック手段228Rと左ロック手段228Lとより構成されている。
右ロック手段228Rと左ロック手段228Lとは左右対称に構成されているので、右ロック手段228Rを代表して説明し、左ロック手段228Lの同一部品には同一数字にLを付して表示し、説明を省略する。
可動底壁214の回転ディスク158から遠い端部下面から所定の間隔で第1軸支片232R、第2軸支片234Rが下向きに突出している。
第1軸支片232R及び第2軸支片234Rの各軸孔に右ロック軸236Rが可動底壁214と平行にスライド可能に挿入されている。
右ロック軸236Rは、付勢手段238Rによって外向きに突出するよう付勢される。
【００２４】
付勢手段238Rは、一端を固定された右バネ片242Rの先端の蛙又を右ロック軸236Rの先端に形成した係止溝244Rに係止することにより、右ロック軸236Rが外方へ突出するよう付勢する。
右ロック軸236Rは右バネ片242Rが第1軸支片232Rに係止されることにより、先端が第2ガイド板218に形成した右保持孔248Rに突出した状態で停止される。
【００２５】
右バネ片242Rと左バネ片242Lとは円筒部250から図6において下方へ延びる突出部252から左右にS字形に延びている薄板片であって、弾性を有している。
円筒部250の中心孔に可動底壁214から突出するピン254を嵌め込み、同様に可動底壁214の下面から突出するフック256によって突出部252をフックすることにより、右付勢手段238R及び左付勢手段238Lを可動底壁214に取り付けてある。
【００２６】
右ロック軸236Rの先端が保持孔248Rに突入している場合、可動底壁214の上面は第3傾斜底壁196と同一の平面内に位置し、滑落するコインCが引っかかることはない。
右ロック軸236Rと左ロック軸236Lの中間に可動底壁214の裏面から第2ストッパ258が突出形成される。
右ロック軸236Rが図6において左方へ移動された場合、その先端がストッパ258にストップされて第2軸支片234Rの軸孔から脱落しないようにしたものである。
【００２７】
右バネ片242Rは中間が緩やかに内方へ向けて湾曲しているので、左バネ片242Lとで括れ部260を構成するので、この括れ部260を親指と人差し指とで摘むことにより、左右のロック軸236R、236Lが第2ストッパ252に停止されるまで内方へ引っ込めることができる。
これにより、右ロック軸236R及び左ロック軸236Lの先端は左右の保持孔248R、248Lから退出し、可動底壁214のロックが解除される。
括れ部260のつまみを開放すれば、右バネ片242R、左バネ片242Lの弾発力により、右ロック軸236R、左ロック軸236Lが外方へ突出し、それぞれ右保持孔248R、右保持孔248Lに突入可能になる。
【００２８】
次に回転ディスク158を説明する。
回転ディスク158は、バラ積み状態でホッパヘッド156のコイン保留部178に保留されるコインCを一つずつ区分けし、投出口160から送り出す機能を有する。
回転ディスク158は、ホッパヘッド156の底孔184内に配置され、図示しない電気モータによって減速機を介して所定の速度で回転駆動される。
回転ディスク158は樹脂製の円形厚板よりなり、上面中央に円錐形の攪拌突起262、周辺に等間隔に円形の通孔264が形成されている。
回転ディスク158の通孔264間のリブ266の下面には押動部(図示せず)が形成されている。
【００２９】
回転ディスク158が図2において時計方向に回転した場合、コイン保留部178内のコインCは回転ディスク158の通孔264等による凹凸によって攪拌されて姿勢を変え、通孔264に落下する。
落下したコインCは下面がホッパベース154に面接触して支えられ、かつ、回転ディスク158のリブ266下面の押動部によって周縁を押される。
これにより、コインCは周縁をホッパベース154の円形孔の内壁に案内されつつホッパベース154上を滑って回転ディスク158により連れ回りされる。
コインCは、連れ回される途上において、規制体(図示せず)により所定位置で回転ディスク158の周方向へ案内され、図示しない投出装置によって投出口160から投出される。
【００３０】
コインホッパ150が本体104内に収納された場合、オーバーフロー口178及び落下開口212はコインボックス116の上面開口の真上に位置する。
換言すれば、オーバーフロー口178及び落下開口212から落下するコインCはコインボックス116内に落下する。
【００３１】
次に本実施例の作用を説明する。
コイン投入口118に投入されたコインCは、コインセレクタ120によって選別され、正貨はシュート122によって案内されてコインホッパ150の凹部202からオーバーフローシュート176の分散部204上に落下する。
分散部204上に落下したコインCは、シュート122から落下する慣性力によって回転ディスク158上に落下する。
コインCがコイン保留部188に満杯に積み上がっている場合、積み上げコインの山形斜面を滑落してきたコインCはオーバーフローシュート176の滑り部206上に落下し、自重で滑り落ちることによりオーバーフロー口178からコインボックス116に落下する。
第１傾斜底壁192、第2傾斜底壁194及び第3傾斜底壁196上に載っているコインCはその傾斜によって自重で滑り落ちて回転ディスク158上に落下し、回転ディスク158の回転によって一つずつ区分けされて投出口160から払い出される。
可動底壁214も第3傾斜底壁196の一部をなすように傾斜平面をなしているので、可動底壁214上に載ったコインCも同様に滑り落ちる。
偽コイン及びセレクタ120によって選別を拒否されたコインCは、返却シュート124を経て払出口126からトレイ128に戻される。
コインホッパ150の投出口160から払い出されたコインCは払出シュート130を経由して払出口126からトレイ128に払い出される。
【００３２】
次にコインホッパ150の回転ディスク158がコインCのジャムを生じ、停止した場合を説明する。
パチスロ機100の前面扉108を開け、コインホッパ150が本体104内に収納されている状態でバネ片242L及び242Rによって構成される括れ部260を親指と人差し指で摘む。
これにより、右ロック軸236R及び左ロック軸236Lが互いに近づく方向に第2ストッパ258に係止されるまで移動され、その先端が保持孔248R、248Lから抜き出される。
可動底壁214はその上に載っているコインCの重量も加わって第1軸226を支点に回動し、落下開口212は開口される、
これにより、可動底壁214上に載っているコインCはコインボックス116内に落下する。
可動底壁214が勢いよく回動した場合、ストッパ217R、217Lが第3傾斜底壁196の裏面に係止されてほぼ垂立状態以上は回動されない(図5参照)。
よって、コインCは第1ガイド板216、第2ガイド板218及び可動底壁214並びに本体104に案内されてコインボックス116に落下するので、コインボックス116の外に落下することはない。
【００３３】
回転ディスク158上の底孔184に位置するコインCは、手で落下開口212に向けて掻き上げることで落下開口212から前述のようにコインボックス116へ落下させる。
掻き上げられて落下開口212に達しなかったコインCは第3傾斜底壁196等上を滑り落ちて再び底孔184に保留される。
この掻き上げ作業を繰り返すことでコイン保留部188内のコインCを全て掻き出した後、コインホッパ114を本体104から引き出してホッパヘッド156をホッパベース154から取り外す等してコインジャムを解消する。
【００３４】
そして再び括れ部260を摘んで左ロック軸228L及び右ロック軸228Rを第2軸支片234L、234R内へ引っ込めて後、可動底壁214を回動させて第１ガイド板216、第2ガイド板218の間へ進行させる。
進行させた後、括れ部260のつまみを開放することができる。
左ロック軸228L及び右ロック軸228Rはそれら第1ガイド板216、第2ガイド板218によってそれぞれ突出を阻止されるからである。
可動底壁214を更に回動させると、左ロック軸228L及び右ロック軸228Rがそれぞれ保持孔248L、248Rに相対し、右バネ片212R、左バネ片212Lの弾発力で保持孔248L、248Rに突出し、ロックされる。
コインホッパ150を本体104内に戻し、前面扉108を閉じることで再稼働可能となる。
【図面の簡単な説明】
【００３５】
【図１】図１は、実施例のコインホッパの斜視図である。
【図２】図２は、実施例のコインホッパの平面図である。
【図３】図３は、図２におけるＸ−Ｘ線断面図である。
【図４】図４は、図２におけるＹ−Ｙ線断面図である。
【図５】図５は、実施例のコインホッパの可動底壁を開いた状態のＸ−Ｘ線断面図である。
【図６】図６は、実施例のコインホッパの可動底壁の裏面拡大図である。
【図７】図７は、実施例のコインホッパの可動底壁を開いた状態の下方からの斜視図である。
【図８】図８は、コインホッパが内蔵されるパチスロ機の斜視図である。
【図９】図９は従来のコインホッパが内蔵されたパチスロ機の前面扉開放時の斜視図である。
【図１０】図１０は、従来のコインホッパの斜視図である。
【符号の説明】
【００３６】
C  コイン
156  ホッパヘッド
158  回転ディスク
174  傾斜底壁
184  底孔
212  落下開口
214  可動底壁
226  軸
228  ロック手段
【図１】
2009003714.tif 000003
【図２】
2009003714.tif 000004
【図３】
2009003714.tif 000005
【図４】
2009003714.tif 000006
【図５】
2009003714.tif 000007
【図６】
2009003714.tif 000008
【図７】
2009003714.tif 000009
【図８】
2009003714.tif 000010
【図９】
2009003714.tif 000011
【図１０】
2009003714.tif 000012